(57)【要約】【課題】天井に照明装置を備えず側板間の目地部にＬＥＤを備えたものにあって、乗かご内が満員に近い状態であっても乗客に乗かご内が明るいと感じさせることができる。【解決手段】本発明は、側板５ａ，５ｂ間に設けられる目地部６に、乗かご１内を照らすＬＥＤ８を配置したものにおいて、目地部６に配置され、幅寸法が目地部６の幅寸法と同等の寸法から成り、ＬＥＤ８が縦方向に複数個配設された基板９と、この基板９が装着されるとともに、目地部６に配置され、側板５に着脱自在に係止される固定部材１０と、目地部６に配置され、基板９に配置されたＬＥＤ８を覆うカバー体１１とを備え、乗かご１の天井３の近傍に位置する目地部６の部分に、他の部分に比べて照度を高くする基板９に配設されたＬＥＤ８によって形成した、すなわちＬＥＤ８の配設個数を多くした高照度発光部６ａを設けた構成にしてある。【選択図】図３
2012082044.tif 000002
【特許請求の範囲】
【請求項１】
エレベータの乗かごを形成する複数枚の側板のうちの隣接する側板間に設けられる目地部に、前記乗かご内を照らすＬＥＤを配置したエレベータの乗かご内照明装置において、
前記目地部に配置され、幅寸法が前記目地部の幅寸法と同等の寸法から成り、前記ＬＥＤが縦方向に複数個配設される基板と、
前記目地部に配置され、前記基板が装着されるとともに、前記側板に着脱自在に係止される固定部材と、
前記目地部に配置され、前記基板に配設された前記ＬＥＤを覆うカバー体とを備え、
前記乗かごの天井近傍に位置する前記目地部の部分に、他の部分に比べて照度を高くする前記基板に配設された前記ＬＥＤによって形成される高照度発光部を設けたことを特徴とするエレベータの乗かご内照明装置。
【請求項２】
請求項１に記載のエレベータの乗かご内照明装置において、
前記カバー体を、前記目地部を形成する隣接する前記側板のそれぞれと略面一に形成し、
前記天井近傍に位置する前記目地部の部分と、前記乗かごの床の近傍に位置する前記目地部の部分との間の前記目地部の部分に、前記高照度発光部に比べて照度を低くする前記基板に配設された前記ＬＥＤによって形成される低照度発光部を設け、
前記床の近傍に位置する前記目地部の部分に、前記低照度発光部に比べて照度を高くする前記基板に配設された前記ＬＥＤによって形成される高照度発光部を設けたことを特徴とするエレベータの乗かご内照明装置。
【請求項３】
請求項２に記載のエレベータの乗かご内照明装置において、
前記高照度発光部は、所定長さ当りの前記ＬＥＤの個数を前記低照度発光部の前記ＬＥＤの個数に比べて多くした発光部、または、前記ＬＥＤ１個に流れる電流を前記低照度発光部の前記ＬＥＤ１個に流れる電流に比べて高くした発光部、または、前記ＬＥＤの輝度を前記低照度発光部の前記ＬＥＤの輝度に比べて高くした発光部から成ることを特徴とするエレベータの乗かご内照明装置。
【請求項４】
請求項３に記載のエレベータの乗かご内照明装置において、
前記目地部の反前記カバー体側に設けられ、隣接する前記側板の少なくとも一方に形成され、径寸法の大きい上部穴と、この上部穴に連通し、前記上部穴に比べて径寸法の小さい下部穴とから成る達磨穴と、
前記固定部材の反前記ＬＥＤ側に取り付けられ、前記達磨穴の前記上部穴に挿入されるつば部と、このつば部に接続され、前記達磨穴の前記下部穴に係止される軸部とを有する装着体とを備えたことを特徴とするエレベータの乗かご内照明装置。
【請求項５】
請求項４に記載のエレベータの乗かご内照明装置において、
前記基板は、高照度を供給する前記ＬＥＤが設けられる高照度基板と、この高照度基板の前記ＬＥＤの照度に比べて低い照度を供給する前記ＬＥＤが設けられる低照度基板とから成り、
前記固定部材は、前記高照度基板が装着され、この高照度基板と同等の長さ寸法を有する高照度固定部材と、前記低照度基板が装着され、この低照度基板と同等の長さ寸法を有する低照度固定部材とから成り、
前記高照度基板と、この高照度基板に設けた前記ＬＥＤと、前記高照度固定部材とによって、前記側板に対して着脱自在な一体構成物である高照度ＬＥＤユニットを形成し、
前記低照度基板と、この低照度基板に設けた前記ＬＥＤと、前記低照度固定部材とによって、前記側板に対して着脱自在な一体構成物である低照度ＬＥＤユニットを形成し、
前記高照度ＬＥＤユニット、及び前記低照度ＬＥＤユニットのそれぞれ毎に前記装着体を取り付け、
前記側板に、前記高照度ＬＥＤユニットに取り付けられた装着体を係止する前記達磨穴と、前記低照度ＬＥＤユニットに取り付けられた装着体を係止する前記達磨穴とを形成し、
前記カバー体は、前記高照度ＬＥＤユニットに含まれる前記ＬＥＤと、前記低照度ＬＥＤユニットに含まれる前記ＬＥＤの双方を覆う１個のカバー体から成ることを特徴とするエレベータの乗かご内照明装置。
【発明の詳細な説明】
【技術分野】
【０００１】
本発明は、エレベータの乗かごを形成する側板間に設けられた目地部に、乗かご内を照らすＬＥＤを配置したエレベータの乗かご内照明装置に関する。
【背景技術】
【０００２】
この種の従来技術として特許文献１に示されるものがある。この従来技術は、エレベータの乗かご内の天井に照明装置を設けず、乗かごを形成する複数枚の側板のうちの隣接する側板間に設けられる目地部に、乗かご内を照らす複数個のＬＥＤを設けた構成にしてある。複数個のＬＥＤは、目地部の縦方向に沿って等間隔に配設されている。
【先行技術文献】
【特許文献】
【０００３】
【特許文献１】特開２００４−２０３６１１号公報
【発明の概要】
【発明が解決しようとする課題】
【０００４】
前述した従来技術は、乗かごの天井に照明装置を設けずに、目地部の縦方向に沿って等間隔に配設されたＬＥＤによって乗かご内を照らすようにしてあるので、乗かごの天井付近の照度が低くなりやすい。このために、乗かごに乗客が満員に近く乗り込んだ際に、乗かご内が暗いと乗客に感じさせる虞があり、乗客に対するサービス性に問題がある。
【０００５】
本発明は、前述した従来技術における実状からなされたもので、その目的は、天井に照明装置を備えず、側板間の目地部に複数のＬＥＤを備えたものにあって、乗かご内が満員に近い状態であっても、乗客に乗かご内が明るいと感じさせることができるエレベータの乗かご内照明装置を提供することにある。
【課題を解決するための手段】
【０００６】
前記目的を達成するために、本発明に係るエレベータの乗かご内照明装置は、エレベータの乗かごを形成する複数枚の側板のうちの隣接する側板間に設けられる目地部に、前記乗かご内を照らすＬＥＤを配置したエレベータの乗かご内照明装置において、前記目地部に配置され、幅寸法が前記目地部の幅寸法と同等の寸法から成り、前記ＬＥＤが縦方向に複数個配設される基板と、前記目地部に配置され、前記基板が装着されるとともに、前記側板に着脱自在に係止される固定部材と、前記目地部に配置され、前記基板に配設された前記ＬＥＤを覆うカバー体とを備え、前記乗かごの天井近傍に位置する前記目地部の部分に、他の部分に比べて照度を高くする前記基板に配設された前記ＬＥＤによって形成される高照度発光部を設けたことを特徴としている。
【０００７】
このように構成した本発明は、乗かごの天井付近をカバー体を介して、高照度発光部に含まれる照度を高くするＬＥＤによって明るく照らすことができる。すなわち、天井に照明装置を備えず、側板間の目地部に複数のＬＥＤを備えたものにあって、乗かご内が満員に近い状態であっても、乗客に乗かご内が明るいと感じさせることができる。
【０００８】
また本発明は、前記発明において、前記カバー体を、前記目地部を形成する隣接する前記側板のそれぞれと略面一に形成し、前記天井近傍に位置する前記目地部の部分と、前記乗かごの床の近傍に位置する前記目地部の部分との間の前記目地部の部分に、前記高照度発光部に比べて照度を低くする前記基板に配設された前記ＬＥＤによって形成される低照度発光部を設け、前記床の近傍に位置する前記目地部の部分に、前記低照度発光部に比べて照度を高くする前記基板に配設された前記ＬＥＤによって形成される高照度発光部を設けたことを特徴としている。
【０００９】
このように構成した本発明は、乗かごの床付近もカバー体を介して、高照度発光部に含まれる照度を高くするＬＥＤによって照らすことができる。また、カバー体は側板と略同一面を形成するので、乗客に対する安全性を確保できるとともに、優れた意匠性を確保することができる。
【００１０】
また本発明は、前記発明において、前記高照度発光部は、所定長さ当りの前記ＬＥＤの個数を前記低照度発光部の前記ＬＥＤの個数に比べて多くした発光部、または、前記ＬＥＤ１個に流れる電流を前記低照度発光部の前記ＬＥＤ１個に流れる電流に比べて高くした発光部、または、前記ＬＥＤの輝度を前記低照度発光部の前記ＬＥＤの輝度に比べて高くした発光部から成ることを特徴としている。
【００１１】
このように構成した本発明は、高照度発光部を比較的容易に実現させることができ、実用性に富む。
【００１２】
また本発明は、前記発明において、前記目地部の反前記カバー体側に設けられ、隣接する前記側板の少なくとも一方に形成され、径寸法の大きい上部穴と、この上部穴に連通し、前記上部穴に比べて径寸法の小さい下部穴とから成る達磨穴と、前記固定部材の反前記ＬＥＤ側に取り付けられ、前記達磨穴の前記上部穴に挿入されるつば部と、このつば部に接続され、前記達磨穴の前記下部穴に係止される軸部とを有する装着体とを備えたことを特徴としている。
【００１３】
このように構成した本発明は、乗かご内から、ＬＥＤを設けた基板、及びこの基板が装着される固定部材から成る一体構成物を目地部に挿入した状態で、固定部材に取り付けられた装着体のつば部を側板の達磨穴の上部穴に挿入し、前述の一体構成物を押し下げればよい。これにより、装着体の軸部が達磨穴の下部穴に係止され、この一体構成物を側板に容易に取り付けることができる。また逆に、この一体構成物を側板から取り外す際には、装着体のつば部が達磨穴の上部穴に適合するまで一体構成物を押し上げ、その状態で一体構成物を目地部から取り出せばよい。すなわち、ＬＥＤを設けた基板、及びこの基板が装着される固定部材から成る一体構成物を、側板に対して乗かご内から容易に着脱させることができる。
【００１４】
また本発明は、前記発明において、前記基板は、高照度を供給する前記ＬＥＤが設けられる高照度基板と、この高照度基板の前記ＬＥＤの照度に比べて低い照度を供給する前記ＬＥＤが設けられる低照度基板とから成り、前記固定部材は、前記高照度基板が装着され、この高照度基板と同等の長さ寸法を有する高照度固定部材と、前記低照度基板が装着され、この低照度基板と同等の長さ寸法を有する低照度固定部材とから成り、前記高照度基板と、この高照度基板に設けた前記ＬＥＤと、前記高照度固定部材とによって、前記側板に対して着脱自在な一体構成物である高照度ＬＥＤユニットを形成し、前記低照度基板と、この低照度基板に設けた前記ＬＥＤと、前記低照度固定部材とによって、前記側板に対して着脱自在な一体構成物である低照度ＬＥＤユニットを形成し、前記高照度ＬＥＤユニット、及び前記低照度ＬＥＤユニットのそれぞれ毎に前記装着体を取り付け、前記側板に、前記高照度ＬＥＤユニットに取り付けられた装着体を係止する前記達磨穴と、前記低照度ＬＥＤユニットに取り付けられた装着体を係止する前記達磨穴とを形成し、前記カバー体は、前記高照度ＬＥＤユニットに含まれる前記ＬＥＤと、前記低照度ＬＥＤユニットに含まれる前記ＬＥＤの双方を覆う１個のカバー体から成ることを特徴としている。
【００１５】
このように構成した本発明は、ＬＥＤユニットが、高照度ＬＥＤユニットと低照度ＬＥＤユニットとに分割形成されているので、運搬作業及び取り付け作業の作業性を向上させることができる。また、ＬＥＤユニットの保管スペースが比較的小スペースで済む。さらに、高照度ＬＥＤユニット及び低照度ＬＥＤユニットのうちの一方に照明不良を生じた場合には、該当するＬＥＤユニットのみを交換すればよく、このように照明不良を生じた場合のＬＥＤユニットの交換作業が簡単である。
【発明の効果】
【００１６】
前述したように本発明は、目地部に配置され、幅寸法が目地部の幅寸法と同等の寸法から成り、ＬＥＤが縦方向に複数個配設される基板と、目地部に配置され、基板が装着されるとともに、側板に着脱自在に係止される固定部材と、目地部に配置され、基板に配設されたＬＥＤを覆うカバー体とを備え、乗かごの天井近傍に位置する目地部の部分に、他の部分に比べて照度を高くする基板に配設されたＬＥＤによって形成される高照度発光部を設けた構成にしてある。この構成により、天井に照明装置を備えず、側板間の目地部に複数のＬＥＤを備えたものにあって、天井付近をカバー体を介して高照度発光部に含まれる照度を高くするＬＥＤによって照らすことができる。したがって、乗かご内が満員に近い状態であっても、乗かご内が明るいと乗客に感じさせることができ、従来に比べて乗客に対するサービス性を向上させることができる。
【図面の簡単な説明】
【００１７】
【図１】本発明に係るエレベータの乗かご内照明装置の第１実施形態に備えられる乗かごを示す斜視図である。
【図２】図１のＡ−Ａ断面拡大図である。
【図３】図２のＢ−Ｂ断面に相応する縦断面図である。
【図４】図３のＣ矢視拡大図である。
【図５】本発明の第２実施形態の要部を示す横断面図で、図２に対応する図である。
【図６】本発明の第３実施形態の要部を示す縦断面図で、図３に対応する図である。
【発明を実施するための形態】
【００１８】
以下、本発明に係るエレベータの乗かご内照明装置の実施の形態を図に基づいて説明する。
【００１９】
図１は本発明に係るエレベータの乗かご内照明装置の第１実施形態に備えられる乗かごを示す斜視図である。
【００２０】
この図１に示すように、エレベータの乗かご１は、床２と天井３と、床２の隅部に設けた幅木４上に立設される複数枚の側板５とによって形成されている。また、隣接する側板５間には、隣接する側板５を所定間隔で離隔させることによって形成される目地部６が設けられている。本発明に係る乗かご内照明装置にあっては、天井３には照明装置が備えられていない。
【００２１】
図２は図１のＡ−Ａ断面拡大図、図３は図２のＢ−Ｂ断面に相応する縦断面図、図４は図３のＣ矢視拡大図である。
【００２２】
図２に示すように、隣接する側板５ａ，５ｂの間に形成される目地部６は、側板５ａ，５ｂそれぞれの端部付近が直角に折り曲げられ、曲げられた部分が互いに対向するように配置されることによって凹部空間を有するものとなっている。また、側板５ａと側板５ｂとは取付ボルト７によって一体に締結されている。
【００２３】
第１実施形態に係る乗かご内照明装置は、図２，３に示すように、幅寸法が目地部６の幅寸法と同等の寸法から成り、乗かご１内を照らすＬＥＤ８が縦方向に例えば１列に複数個配設され、目地部６の凹部空間に配置される１枚の基板９を備えている。また、この１枚の基板９が装着されるとともに、目地部６の凹部空間内に配置され、例えば側板５ｂに着脱自在に係止される１本の角筒状の固定部材１０を備えている。この固定部材１０の内部には、ＬＥＤ８のそれぞれに接続される電源線１２が収納されている。また、目地部６に配置され、ＬＥＤ８のそれぞれを覆うカバー体１１を備えている。このカバー体１１は、例えば図２に示すように、目地部６を形成する隣接する側板５ａ，５ｂのそれぞれと略面一に形成してあり、乳白色の半透明材から成っている。
【００２４】
前述した基板９と、ＬＥＤ８と、固定部材１０と、電源線１２とによって一体構成物であるＬＥＤユニット６Ａが形成されている。
【００２５】
また、この第１実施形態は、乗かご１の天井３の近傍に位置する目地部６の部分に、他の部分に比べて照度を高くする基板９に配設されたＬＥＤ８によって形成される高照度発光部を設けた構成にしてある。すなわち図３に示すように、天井３の近傍に、所定長当りのＬＥＤ８の配設個数を多くし、ＬＥＤ８の配設密度を高めた高照度発光部６ａを設けてある。また、この第１実施形態は、天井３の近傍に位置する目地部６の部分すなわち高照度発光部６ａの部分と、乗かご１の床２の近傍に位置する目地部６の部分との間の目地部６の部分に、高照度発光部６ａに比べて照度を低くする基板９に配設されたＬＥＤ８によって形成される低照度発光部６ｂを設けた構成にしてある。この低照度発光部６ｂは、所定長当りのＬＥＤ８の配設個数を少なくし、ＬＥＤ８の配設密度を粗くすることによって形成してある。さらに、この第１実施形態は、乗かご１の床２の近傍に位置する目地部６の部分に、低照度発光部６ｂに比べて照度を高くする基板９に配設されたＬＥＤ８によって形成される高照度発生部６ｃを設けてある。この高照度発生部６ｃは、前述した天井３の近傍に設けられる高照度発生部６ａと同様に、所定長当りのＬＥＤ８の配設個数を多くし、ＬＥＤ８の配設密度を高めることによって形成してある。
【００２６】
また、この第１実施形態は、図４に示すように、目地部６の反カバー体１１側に設けられ、隣接する側板５ａ，５ｂの少なくとも一方、例えば側板５ｂに形成され、径寸法の大きい上部穴１４ａと、この上部穴１４ａに連通し、上部穴１４ａに比べて径寸法の小さい下部穴１４ｂとから成る達磨穴１４を備えている。この達磨穴１４は側板５ｂの縦方向に沿って複数形成されている。また、これらの達磨穴１４のそれぞれに対応させて、固定部材１０の反ＬＥＤ８側に取り付けられ、達磨穴１４の上部穴１４ａに挿入される径寸法に設定したつば部１３ａと、このつば部１３ａに接続され、達磨穴１４の下部穴１４ｂに係止される軸部１３ａとを有する複数の装着体１３を備えている。
【００２７】
なお、前述したＬＥＤユニット６Ａは複数設けられ、例えば乗かご１内の隣接される側板５（５ａ，５ｂ）間に形成される目地部６の全てにおいて設けてある。
【００２８】
基板９、ＬＥＤ８、固定部材１０、及び電源線１２を含むＬＥＤユニット６Ａを側板５ｂに取り付けるに際しては、乗かご１内からＬＥＤユニット６Ａを目地部６の凹部空間に挿入した状態で、固定部材１０に設けられた装着体１３のつば部１３ｂを側板５ｂの達磨穴１４の上部穴１４ａに挿入し、この状態からＬＥＤユニット６Ａを押し下げればよい。これにより、装着体１３の軸部１３ｂが達磨穴１４の下部穴１４ｂに係止され、このＬＥＤユニット６Ａを側板５ｂに容易に取り付けることができる。また逆に、ＬＥＤ８の照明不良等によりＬＥＤユニット６Ａを側板５ｂから取り外す際には、装着体１３のつば部１３ｂが達磨穴１４の上部穴１４ａに適合するまでＬＥＤユニット６Ａを押し上げ、その状態でＬＥＤユニット６Ａを目地部６の凹部空間から引き抜けばよい。これにより、目地部６からＬＥＤユニット６Ａを容易に取り出すことができる。
【００２９】
また、電源線１２に電力を供給することにより、ＬＥＤユニット６Ａの高照度発光部６ａ，６ｃ、及び低照度発光部６ｂに含まれるＬＥＤ８のそれぞれが点灯し、これらのＬＥＤ８によって乗かご１内を明るく照らすことができる。この際に、高照度発光部６ａ，６ｃそれぞれのＬＥＤ８の配設個数を多くしたことから低照度発光部６ｂによる明るさに比べて、高照度発光部６ａ，６ｃによる明るさを明るくすることができる。すなわち、乗かご１の天井３付近と床２の付近とをより明るく照らすことができる。
【００３０】
このように構成した第１実施形態によれば、乗かご１の天井３付近をカバー体１１を介して、前述したように高照度発光部６ａに含まれる照度を高くするＬＥＤ８、すなわち配設個数を多くしたＬＥＤ８によって明るく照らすことができる。したがって、天井３に照明装置を備えず、側板５ａ，５ｂ間の目地部６に複数のＬＥＤ８を備えたものにあって、乗かご１内が満員に近い状態でも乗客に乗かご１内が明るいと感じさせることができ、乗かご１の乗客に対するサービス性を向上させることができる。
【００３１】
また、乗かご１の床２付近もカバー体１１を介して、前述したように高照度発光部６ｃに含まれる照度を高くするＬＥＤ８、すなわち配設個数を多くしたＬＥＤ８によって明るく照らすことができる。これにより乗かご１に乗り込む際の乗客の足元を明るくし、乗客の安全を確保することができる。
【００３２】
また、照明を控え気味にしても済む乗かご１内の床２と天井３との間の高さ位置に、低照度発光部６ｂを設けたことから、全体の照明に要する電力の消費を抑えることができ、この点で経済的である。
【００３３】
また、乗かご１内の形状寸法に応じて、あるいは乗かご１内の側板５（５ａ，５ｂ）の色や模様等に応じて、高照度発光部６ａ，６ｃ、及び低照度発光部６ｂを形成するＬＥＤ８の個数を適宜選択することにより、乗かご１内の形状寸法に相応する望ましい明るさを、あるいは側板５（５ａ，５ｂ）の色や模様等を損なわない明るさを、乗かご１内に供給することができる。また、乗かご１内の明るさを、当該エレベータの所有者の要望に応じた明るさに容易に設定することができる。
【００３４】
また、カバー体１１は、側板５（５ａ，５ｂ）と略同一面を形成するので、乗かご１内の側壁面に凹凸部を有さず、乗客に対する安全性を確保できるとともに、優れた意匠性を確保できる。また、カバー体１１は乳白色の半透明体から成っているので、ＬＥＤ８からの光が面発光となり、この点でも優れた意匠性を確保できる。
【００３５】
また、高照度発光部６ａ，６ｃは、ＬＥＤ８の配設個数を多くするだけであるので、比較的容易に実現させることができ、実用性に富む。
【００３６】
また、固定部材１０に設けた装着体１３と、側板５ｂに形成した達磨穴１４とを介してＬＥＤユニット６Ａを側板５ｂに対して着脱させる構成にしてあることから、このＬＥＤユニット６Ａを側板５ｂに対して乗かご１内から容易に着脱させることができ、ＬＥＤユニット６Ａの側板５ｂに対する取り付け、取り外し作業の作業性を向上させることができる。
【００３７】
図５は本発明の第２実施形態の要部を示す横断面図で、図２に対応する図である。
【００３８】
この図５に示す第２実施形態は、第１実施形態における高照度発光部６ａ，６ｃに相当する高照度発光部を、横２列にＬＥＤ８を設けることによって形成したものである。縦方向に対しては、図示しないが高照度発光部、及び第１実施形態における低照度発光部６ｂに相当する低照度発光部も含めて、ＬＥＤ８を等間隔に配置してある。その他の構成は前述した第１実施形態と同等である。
【００３９】
このように構成した本発明は、前述した第１実施形態と同等の作用効果が得られる他、縦方向に対してはＬＥＤ８が等間隔で配置されるので、ＬＥＤユニット６Ａの製作が比較的簡単である。
【００４０】
なお、縦方向に対するＬＥＤ８の配設の粗密（ＬＥＤ８の個数の多少）と、横方向に対するＬＥＤ８の複数の配設とを組み合わせた構成とすることもできる。このように構成したものでは、エレベータの所有者の要望に応じた精度の高い照明を実現させることができる。
【００４１】
図６は本発明の第３実施形態の要部を示す縦断面図で、図３に対応する図である。
【００４２】
この第３実施形態は、ＬＥＤ８が配設される基板が、高照度を供給するＬＥＤ８が設けられる高照度基板９ａと、この高照度基板９ａのＬＥＤ８の照度に比べて低い照度を供給するＬＥＤ８が設けられる低照度基板９ｂとから成っている。高照度基板９ａは天井３の近傍と床２の近傍にそれぞれ１枚ずつ配置してあり、低照度基板９ｂは、両高照度基板９ａの間に複数枚配置してある。これらの高照度基板９ａ及び低照度基板９ｂは、例えばプリント基板によって構成してある。したがって、電源線１２は、高照度基板９ａ、及び低照度基板９ｂ毎に設けてある。第１実施形態におけるのと同様に、高照度基板９ａに配設するＬＥＤ８の個数を多くし、縦方向におけるＬＥＤ８の配設密度を高くしてある。
【００４３】
また、この第３実施形態における固定部材、すなわち基板が装着される固定部材は、高照度基板９ａが装着され、この高照度基板９ａと同等の長さ寸法を有する高照度固定部材１０ａと、低照度基板９ｂが装着され、この低照度基板９ｂと同等の長さ寸法を有する低照度固定部材１０ｂとから成っている。
【００４４】
前述した高照度基板９ａ、この高照度基板９ａに設けたＬＥＤ８、高照度固定部材１０ａ、及び対応する電源線１２によって、側板５（５ａ，５ｂ）に対して着脱自在な一体構成物である高照度ＬＥＤユニット６Ａａが形成されている。また前述した低照度基板９ｂ、この低照度基板９ｂに設けたＬＥＤ８、低照度固定部材１０ｂ、及び対応する電源線１２によって、側板５（５ａ，５ｂ）に対して着脱自在な一体構成物である低照度ＬＥＤユニット６Ａｂが形成されている。
【００４５】
高照度ＬＥＤユニット６Ａａ、低照度ＬＥＤユニット６Ａｂのそれぞれ毎に装着体１３を設けてあり、側板５ｂに、高照度ＬＥＤユニット６Ａａに取り付けられた装着体１３を係止する達磨穴１４と、低照度ＬＥＤユニット６Ａｂに取り付けられた装着体１３を係止する達磨穴１４とを形成してある。
【００４６】
なお、各ＬＥＤ８を覆うカバー体１１は、高照度ＬＥＤユニット６Ａａに含まれるＬＥＤ８と、低照度ＬＥＤユニット６Ａｂに含まれるＬＥＤ８の双方を覆う１個のカバー体から成っている。その他の構成は前述した第１実施形態と同等である。
【００４７】
このように構成した第３実施形態は、第１実施形態と同等の作用効果が得られる他、ＬＥＤユニットが高照度ＬＥＤユニット６Ａａと低照度ＬＥＤユニット６Ａｂに分割形成されているので、運搬作業、及び取り付け、取り外し作業の作業性を向上させることができる。また、ＬＥＤユニット６Ａａ，６Ａｂの保存のためのスペースが比較的小スペースで済む。さらに高照度ＬＥＤユニット６Ａａ及び低照度ＬＥＤユニット６Ａｂのいずれかに照明不良を生じた場合には、該当するＬＥＤユニットのみを交換すればよく、このように照明不良を生じた場合のＬＥＤユニットの交換作業が簡単である。
【００４８】
なお、前述した第１実施形態、及び第３実施形態にあっては、高照度発光部６ａは、所定長当りのＬＥＤ８の個数を低照度発光部６ｂのＬＥＤ８の個数に比べて多くした発光部となっているが、本発明は、高照度発光部６ａをこのように構成することには限られない。例えば、高照度発光部６ａと低照度発光部６ｂそれぞれにおけるＬＥＤ８の個数を同じに設けたものにあって、ＬＥＤ８の１個に流れる電流を低照度発光部６ｂのＬＥＤ８の１個に流れる電流に比べて高くした発光部から成る高照度発光部を設けた構成にしてもよい。また、高照度発光部６ａと低照度発光部６ｂそれぞれにおけるＬＥＤ８の個数を同じに設けたものにあって、ＬＥＤ８の輝度を低照度発光部６ｂのＬＥｄ８の輝度に比べて高くした発光部から成る高照度発光部を設けた構成にしてもよい。これら構成も比較的容易に実現させることができ、実用性に富む。
【符号の説明】
【００４９】
１    乗かご
２    床
３    天井
４    幅木
５    側板
５ａ  側板
５ｂ  側板
６    目地部
６Ａ  ＬＥＤユニット
６ａ  高照度発光部
６ｂ  低照度発光部
６ｃ  高照度発光部
６Ａａ  高照度ＬＥＤユニット
６Ａｂ  低照度ＬＥＤユニット
７    取付ボルト
８    ＬＥＤ
９    基板
９ａ  高照度基板
９ｂ  低照度基板
１０    固定部材
１０ａ  高照度固定部材
１０ｂ  低照度固定部材
１１    カバー体
１２    電源線
１３    装着体
１３ａ  つば部
１３ｂ  軸部
１４    達磨穴
１４ａ  上部穴
１４ｂ  下部穴
【図１】
2012082044.tif 000003
【図２】
2012082044.tif 000004
【図３】
2012082044.tif 000005
【図４】
2012082044.tif 000006
【図５】
2012082044.tif 000007
【図６】
2012082044.tif 000008